(57)【要約】【課題】光受信器における劣化補償回路において、主信号に影響を与えることなく最適な劣化補償を行う。【解決手段】主信号の劣化補償をする主補償回路４への入力信号を分岐して、補助補償回路５に入力する。補助補償回路の光信号の劣化を劣化検出回路８で検出し、検出結果を基に制御回路１０が光信号対雑音比を測定する。また、制御回路１０は、補助補償回路５の制御信号を変化させて、光信号対雑音比の測定結果と比べて、最適な制御信号を見いだす。補助補償回路５の補償特性は主補償回路４と同一であるため、見いだされた最適な制御信号が主補償回路４への制御信号として設定される。【選択図】図１
2008227847.tif 000002
【特許請求の範囲】
【請求項１】
光信号を受信し、受信信号を出力する光受信回路と、
該光受信回路の出力した受信信号を分岐して入力させる分岐手段と、
該分岐手段により分岐された受信信号を入力されて、互いに独立に動作する主補償回路と補助補償回路と、
該補助補償回路から補助信号の入力を受けて前記補助信号の劣化を検出し検出結果を出力する劣化検出回路と、
該劣化検出回路から前記補助信号の劣化の検出結果の入力を受けて前記主補償回路と前記補助補償回路へそれぞれ制御信号を出力して前記主補償回路と前記補助補償回路を制御する制御回路と、を有し、
前記制御回路は、前記補助補償回路から出力される補助信号の劣化を前記劣化検出回路で測定することによって最適な前記補助補償回路への制御信号を検出し、最適な前記補助補償回路への制御信号を確認した後に、当該制御信号と同一の制御信号を、前記主補償回路への制御信号として設定することを特徴とする光受信器。
【請求項２】
前記主補償回路と前記補助補償回路とは、同一の半導体チップ上に形成され、同一の制御信号が入力した場合は、同一の補償特性を有することを特徴とする請求項１記載の光受信器。
【請求項３】
前記制御回路は、前記補助補償回路から出力される補助信号が大きく劣化するまで前記補助補償回路への制御信号を変化させ、その間、前記主補償回路への制御信号を一定値に保つことにより、前記出力信号を劣化させることなく最適な前記主補償回路及び前記補助補償回路への制御信号を検出することを特徴とする請求項１又は２記載の光受信器。
【請求項４】
前記主補償回路及び前記補助補償回路は、フィードフォワード・イコライザーであることを特徴とする請求項１から３のいずれか１項記載の光受信器。
【請求項５】
前記主補償回路及び前記補助補償回路は、デシジョンフィードバック・イコライザーであることを特徴とする請求項１から３のいずれか１項記載の光受信器。
【請求項６】
前記劣化検出回路は補助信号の光信号対雑音比を検出する光信号対雑音比検出回路であることを特徴とする請求項１から３のいずれか１項記載の光受信器。
【請求項７】
前記劣化検出回路は補助信号の符号誤り率を検出する符号誤り率検出回路であることを特徴とする請求項１から３のいずれか１項記載の光受信器。
【請求項８】
前記主補償回路及び前記補助補償回路の前段にアナログデジタル変換器を備え、
前記主補償回路及び前記補助補償回路は、前記光受信回路の出力した受信信号が前記アナログデジタル変換器により変換されたデジタル信号を、入力されることを特徴とする請求項１から３のいずれか１項記載の光受信器。
【発明の詳細な説明】
【技術分野】
【０００１】
本発明は、光受信器に関する。
【背景技術】
【０００２】
従来の光受信器における劣化補償回路を図４を参照して説明する。図４において、光受信回路１は光信号２を受信し受信信号３を出力する。この受信信号３は主補償回路４に入力され、主補償回路４からは出力信号６が出力される。出力信号６の一部は分岐されて劣化検出回路８に入力され、劣化信号９が出力される。劣化信号９は制御回路１０によって検出され、制御回路１０からは主補償回路４を制御する主制御信号１１が出力される。
【０００３】
一方で、光信号を例えば光電子受信器によって受信する技術分野においては、特許文献１に開示されているような従来技術がある。この特許文献１の、特に段落００１８−００１９には、光信号は例えば光電子受信器によって受信され、電気信号に変換されること、電気信号２０８は自動利得制御回路２１０に供給され、正規化信号ＳＩＧ２１４が生じること、正規化信号ＳＩＧ２１４はアナログ等化器に入力することが記載されている。
【０００４】
同様に「等化器」を有する従来技術としては、特許文献２（例えば、段落０００１及び図１等参照）や特許文献３（例えば、図１の自動等化機能付き等化器４等）に記載されるものがある。
【特許文献１】特表２００６−５０６０３０号公報
【特許文献２】特開平９−３２６７５５号公報
【特許文献３】特開平７−３０２４６７号公報
【発明の開示】
【発明が解決しようとする課題】
【０００５】
しかしながら、従来の光受信器における劣化補償回路には、次のような課題がある。
【０００６】
第１の課題は、出力信号の特性劣化を避けるため、制御信号を大きく振れないという事である。このため局所的な最適点にトラップされてしまう恐れがある等、最適な劣化補償ができない可能性がある。
【０００７】
本発明の目的は、主信号に影響を与えることなく最適な劣化補償を行うことを可能とする光受信器における劣化補償回路を提供することにある。
【課題を解決するための手段】
【０００８】
上記目的を達成するための請求項１記載の発明は、光信号を受信し、受信信号を出力する光受信回路と、該光受信回路の出力した受信信号を分岐して入力させる分岐手段と、該分岐手段により分岐された受信信号を入力されて、互いに独立に動作する主補償回路と補助補償回路と、該補助補償回路から補助信号の入力を受けて前記補助信号の劣化を検出し検出結果を出力する劣化検出回路と、該劣化検出回路から前記補助信号の劣化の検出結果の入力を受けて前記主補償回路と前記補助補償回路へそれぞれ制御信号を出力して前記主補償回路と前記補助補償回路を制御する制御回路と、を有し、前記制御回路は、前記補助補償回路から出力される補助信号の劣化を前記劣化検出回路で測定することによって最適な前記補助補償回路への制御信号を検出し、最適な前記補助補償回路への制御信号を確認した後に、当該制御信号と同一の制御信号を、前記主補償回路への制御信号として設定することを特徴とする光受信器である。
【０００９】
請求項２記載の発明は、請求項１記載の光受信器において、前記主補償回路と前記補助補償回路とは、同一の半導体チップ上に形成され、同一の制御信号が入力した場合は、同一の補償特性を有することを特徴とする。
【００１０】
請求項３記載の発明は、請求項１又は２記載の光受信器において、前記制御回路は、前記補助補償回路から出力される補助信号が大きく劣化するまで前記補助補償回路への制御信号を変化させ、その間、前記主補償回路への制御信号を一定値に保つことにより、前記出力信号を劣化させることなく最適な前記主補償回路及び前記補助補償回路への制御信号を検出することを特徴とする。
【００１１】
請求項４記載の発明は、請求項１から３のいずれか１項記載の光受信器において、前記主補償回路及び前記補助補償回路は、フィードフォワード・イコライザーであることを特徴とする。
【００１２】
請求項５記載の発明は、請求項１から３のいずれか１項記載の光受信器において、前記主補償回路及び前記補助補償回路は、デシジョンフィードバック・イコライザーであることを特徴とする。
【００１３】
請求項６記載の発明は、請求項１から３のいずれか１項記載の光受信器において、前記劣化検出回路は補助信号の光信号対雑音比を検出する光信号対雑音比検出回路であることを特徴とする。
【００１４】
請求項７記載の発明は、請求項１から３のいずれか１項記載の光受信器において、前記劣化検出回路は補助信号の符号誤り率を検出する符号誤り率検出回路であることを特徴とする。
【００１５】
請求項８記載の発明は、請求項１から３のいずれか１項記載の光受信器において、前記主補償回路及び前記補助補償回路の前段にアナログデジタル変換器を備え、前記主補償回路及び前記補助補償回路は、前記光受信回路の出力した受信信号が前記アナログデジタル変換器により変換されたデジタル信号を、入力されることを特徴とする。
【発明の効果】
【００１６】
本発明によれば、光受信器における劣化補償回路において、主信号に影響を与えることなく最適な劣化補償を行うことが可能になる。
【発明を実施するための最良の形態】
【００１７】
図１を参照すると、本発明の一実施形態としての光受信器が示されている。
【００１８】
図１において、光受信回路１は光信号２を受信し受信信号３を出力する。受信信号３は主補償回路４および補助補償回路５に入力され、主補償回路４からは出力信号６が出力され、補助補償回路５からは補助信号７が出力される。補助信号７は劣化検出回路８に入力され、劣化検出回路８からは劣化信号９が出力される。劣化信号９は制御回路１０によって検出され、制御回路１０からは主制御信号１１および補助制御信号１２が出力される。主制御信号１１および補助制御信号１２はそれぞれ主補償回路４および補助補償回路５に入力される。
【００１９】
劣化検出回路８は、本実施形態においては、後述する光信号対雑音比（ＯＳＮＲ）を検出する回路である。しかし、これに限定されるものではなく、劣化検出回路８は、符号誤り率を検出する回路であってもよい。
【００２０】
図２を参照すると、図１に示す主補償回路４および補助補償回路５の詳細な構成が示されている。図２において、主補償回路４および補助補償回路５はいずれもタップ数が１であるフィードフォワード・イコライザーであり、入力信号を分岐する分岐回路２０と、分岐した信号の強度を調整する信号強度調整回路２１と、分岐した信号に遅延を与える遅延回路２２と、分岐した信号を主信号と合波する合波回路２３で構成される。分岐信号の強度は、信号強度調整回路２１に印加される主制御信号１１および補助制御信号１２によって制御される。
【００２１】
主補償回路４および補助補償回路５は同一の半導体チップ上に作られており、主制御信号１１および補助制御信号１２が同一の場合は、ほぼ同一の補償特性を有する。
【００２２】
なお上記実施形態では、主補償回路４および補助補償回路５として２タップ以上のフィードフォワード・イコライザを用いることも可能である。また主補償回路４および補助補償回路５としてデシジョンフィードバック・イコライザーを用いることも可能である。さらに主補償回路４および補助補償回路５として入力信号をアナログデジタル変換器によってデジタル信号に変換した後、デジタル処理回路によって信号を処理するデジタル処理型の補償回路を用いることも可能である。
【００２３】
次に図１の主補償回路４および補助補償回路５の動作を、図３を使用して説明する。
【００２４】
図３において、横軸は主制御信号１１および補助制御信号１２の電圧を示し、縦軸は出力信号６および補助信号７の光信号対雑音比（ＯＳＮＲ）をしめす。図３（ａ）に示されるように、ある時刻において補助制御信号１２の電圧は、制御回路１０によってＶ１からＶ２まで大きく振られ、最適な制御電圧を常時検出している。これに対して主制御信号１１の電圧は出力信号６のＯＳＮＲが最大になる制御電圧Ｖ０に固定されている。
【００２５】
図３（ｂ）に示されるように、例えば伝送路の特性が変化して、最適な制御電圧が変化した場合、補助信号７のＯＳＮＲを測定することによって最適な制御電圧Ｖ０’を検出する。
【００２６】
この最適な制御電圧を検出する過程では、主制御信号１１の制御電圧はそれまでの制御電圧Ｖ０に固定されており、最適な制御電圧が確認された後に、主制御信号１１の制御電圧はＶ０’に変更される。
【００２７】
最後に、本実施形態の特徴をまとめ、以下に述べる。
【００２８】
図１において、光受信回路１は光信号２を受信し受信信号３を出力する。受信信号３は主補償回路４および補助補償回路５に入力され、主補償回路４からは出力信号６が出力され、補助補償回路５からは補助信号７が出力される。補助信号７は劣化検出回路８に入力され、劣化検出回路８からは劣化信号９が出力される。劣化信号９は制御回路１０によって検出され、制御回路１０からは主制御信号１１および補助制御信号１２が出力される。主制御信号１１および補助制御信号１２はそれぞれ主補償回路４および補助補償回路５に入力される。主補償回路４および補助補償回路５は同一の補償特性を持っており、同じ制御信号が入力した場合、出力信号６と補助信号７は同一になる。
【００２９】
このようにして、本願発明では互いに独立に動作する主補償回路４と補助補償回路５を有しており、補助補償回路５の制御信号を変化させることによって補償のための最適の制御信号の値を見出す。この制御信号の最適値を主補償回路４に適用することによって出力信号６にたいして最適な劣化補償を行うことができる。この際、制御信号の最適値を見出すために補助補償回路５の制御信号を大きく変化させても、出力信号６は影響を受けることはない。
【００３０】
以上説明したように、本実施形態においては、以下に記載するような効果を奏する。
【００３１】
第１の効果は主補償回路４と補助補償回路５は互いに独立に動作するので、補助信号７のＯＳＮＲが大きく劣化するまで制御信号を変化させることができることである。このため図３（ａ）のように制御電圧に対するＯＳＮＲの変化が小さく、最適点が分かりにくい場合でも、制御電圧を最適点Ｖ０に設定することができる。また、図３（ｂ）のように局部的な最適制御電圧Ｖ０’’が存在する場合でも、これにトラップされることなく、真の最適制御電圧Ｖ０’を検出することができる。
【産業上の利用可能性】
【００３２】
本発明は、光通信装置において、波長分散、偏波分散等の影響による劣化を抑圧するために利用される。
【図面の簡単な説明】
【００３３】
【図１】本発明の一実施形態としての光受信器を示す図である。
【図２】図１に示す主補償回路４および補助補償回路５の詳細な構成を示す図である。
【図３】主補償回路４および補助補償回路５の動作を説明するための図である。
【図４】従来の光受信器における劣化補償回路を示す図である。
【符号の説明】
【００３４】
１    光受信回路
２    光信号
３    受信信号
４    主補償回路
５    補助補償回路
６    出力信号
７    補助信号
８    劣化検出回路
９    劣化信号
１０    制御回路
１１    主制御信号
１２    補助制御信号
２０    分岐回路
２１    信号強度調整回路
２２    遅延回路
２３    合波回路
【図１】
2008227847.tif 000003
【図２】
2008227847.tif 000004
【図３】
2008227847.tif 000005
【図４】
2008227847.tif 000006